(57)【要約】【課題】  扉が取付けられた箱体に配電用機器が収納された分電盤における扉の取付け部分の構造が複雑になることなく、組立作業性の良い分電盤を提供すること。【解決手段】  本発明に係る分電盤は、開口部２を有する箱体１と、操作部４ａが開口部２側になるように箱体１に収納された配電用機器４と、箱体１に取付けられ箱体１の開口部２を開閉する第１の扉３とを備えた分電盤において、第１の扉３には窓３２が設けられると共にこの窓３２を開閉する第２の扉３３が取付けられているものである。【選択図】          図２
2005304253.tif 000002
【特許請求の範囲】
【請求項１】
開口部を有する箱体と、操作部が上記開口部側になるように上記箱体に収納された配電用機器と、上記箱体に取付けられ上記箱体の開口部を開閉する第１の扉とを備えた分電盤において、
上記第１の扉には窓が設けられると共にこの窓を開閉する第２の扉が取付けられていることを特徴とする分電盤。
【請求項２】
上記第１の扉は、上記配電用機器を遮蔽する遮蔽板と、上記遮蔽板の外側に設けられた主板とを有しており、上記遮蔽板には上記第１の扉の閉時の上記配電用機器の操作部に対応する位置に開口部が設けられ、上記主板には上記開口部に対応する位置に窓が設けられていることを特徴とする請求項１に記載の分電盤。
【請求項３】
上記第１の扉はヒンジにより上記箱体に取付けられ、上記第２の扉はヒンジにより上記第１の扉に取付けられていることを特徴とする請求項１に記載の分電盤。
【発明の詳細な説明】
【技術分野】
【０００１】
本発明は、扉が取付けられた箱体に配線用遮断器などの配電用機器が収納された分電盤に関するものである。
【背景技術】
【０００２】
従来の分電盤では、配電用遮断器が分電盤本体内に収納され、その前面にカバーが設けられている。そして、このカバーには、カバーを覆うように透明な部材からできた扉が取付けられており、分電盤内部への塵埃の混入が防止できるようになっている。（特許文献１参照）
【０００３】
しかしながら、カバーを分電盤本体に取付けるものでは、配電用遮断器の修理や点検の時に、いちいちカバーを取り外さなければならない。そこで、カバーを取付けるのではなく、このカバーの代わりに扉を取付け、修理点検時にはこの扉を開けることで分電盤内部の配電用遮断器の修理や点検を行えるものが提案されている。
【０００４】
このような扉を利用する分電盤では、配電用遮断器が収納される箱体に内扉と外扉との両扉が取付けられている。内扉は、箱体内に収納された配電用遮断器を遮蔽するための扉であり、内扉を閉めたときの配電用遮断器の操作部に対応する箇所には操作部が貫通される切り欠きが形成されている。一方、外扉は、箱体の一面を構成するものであり、外扉を閉めたときの配電用遮断器の操作部が見える位置に透明な部材からなる覗き窓が形成されている。
【０００５】
従って、内扉を閉めた状態では、内扉により箱体内に収納された配電用遮断器が覆われ、内扉に形成された切り欠きから配電用遮断器の操作部が外側に引き出されるようになっている。そのため、内扉を閉じまま外扉を開けることで、配電用遮断器を内扉により遮蔽した状態で、引き出された操作部の操作により配電用遮断器のスイッチ動作を行うことができる。
【０００６】
そして、内扉と外扉の両扉を閉めた状態では、外扉の覗き窓を通して、配電用遮断器の操作部を確認できるので、扉を開くことなく、配電用遮断器の開閉状態など操作部の状態を確認することができる。尚、修理点検時には、内扉と外扉の両扉を開けることで分電盤内部の機器の保守点検が行えるようになっている。
【０００７】
【特許文献１】特開２００２−３００７０４号
【発明の開示】
【発明が解決しようとする課題】
【０００８】
上記のような従来の分電盤では、配電用機器を収納する箱体に外扉と内扉の２つの扉が取付けられているので、外扉と内扉が箱体の同じ側に取付けられる場合には、両扉の取付け位置が箱体のほぼ同じ位置になり、これら扉の取付け部分の構造が複雑になってしまう。そのため、組立作業性が悪いという問題点があった。
【０００９】
本発明は、上記のような問題を解決するためになされたものであり、扉の取付け部分の構造を簡素化でき、組立作業性の良い分電盤を提供するものである。
【課題を解決するための手段】
【００１０】
本発明にかかる分電盤は、開口部を有する箱体と、操作部が開口部側になるように箱体に収納された配電用機器と、箱体に取付けられ箱体の開口部を開閉する第１の扉とを備えたものであって、第１の扉には窓が設けられると共にこの窓を開閉する第２の扉が取付けられている。
【発明の効果】
【００１１】
本発明にかかる分電盤は、箱体に取付けられた第１の扉に窓が設けられると共にこの窓を開閉する第２の扉が取付けられているので、箱体に第２の扉を取付けるためのヒンジなどを設ける必要が無く、その取付け構造を簡素化でき、その結果、組立作業を向上させることができる。
【発明を実施するための最良の形態】
【００１２】
実施の形態１．
以下、この発明の一実施の形態について説明する。図１はこの実施の形態１の分電盤を示す正面図である。図２、図３は図１に示した分電盤の斜視図であり、図２は第１の扉を閉じ、第２の扉を開いた状態を、図３は第１の扉を開いた状態を各々示す図である。図４は図１に示した分電盤のＡ−Ａ線に沿う矢視断面図である。図５は図４における第１、第２の扉の取付け部周辺を示す図である。図６は図１に示した分電盤の第１の扉を構成する保護用遮断板を示す斜視図である。
【００１３】
図１〜３に示すように、分電盤は、後板１ａ、両側板１ｂ、１ｃ、上板１ｄ、底板１ｅ、前面１ｆを有し前面１ｆに開口部２が形成された箱状の筐体１と、開口部２を開閉するために筐体１に取付けられた第１の扉３（以下、遮蔽用扉３という）と、この筐体１内に収納される配電用機器４とで構成される。
【００１４】
配電用機器４は、例えば開閉用スイッチなどの操作部４ａを有する配電用遮断器であり、この操作部４ａであるスイッチが筐体１の開口部２側から操作できるように、操作部４ａを開口部２側にして筐体１に取付けられている。
【００１５】
遮蔽用扉３は、配電用機器４を遮蔽する遮蔽板３１と、この遮蔽板３１の外側に配置され、窓３２及びこの窓３２を開閉する第２の扉３３（以下、覗き窓用扉という）が設けられた主板３４とで構成される。ここで、遮蔽板３１には、遮蔽用扉３の閉時に配電用機器４の操作部４ａに対応する位置に、操作部４ａを貫通させるための１つ又は複数の開口部３５が形成されており、遮蔽用扉３が閉められたときに、この開口部３５に配電用機器４の操作部４ａが挿入されるようになっている。
【００１６】
即ち、図４に示すように、遮蔽用扉３の主板３４は、主面３４ａの両端部に各々側面３４ｂ、３４ｃが設けられた断面コの字状の形状をしている。そして、この主板３４に、図６に示すような、基板３１ａの両端部に設けられた側面３１ｂ、３１ｃから各々外側に張り出した面３１ｄ、３１ｅを有する配線用遮断器用の充電部保護用遮蔽板３１が取付けられている。詳細には、遮蔽板３１は、遮蔽板３１の外側に張り出した面３１ｄ、３１ｅに形成された孔と、主板３４の主面３４ａに形成された孔とにネジを通し、主板３４にネジ止めすることにより、主板３４に取付けられている。
【００１７】
さらに、主板３４には、配電用機器４、特にその操作部４ａの状態が覗けるように、遮蔽板３１の開口部３５に対応する位置、即ち、遮蔽用扉３が閉められたときに、配電用機器４の操作部４ａに対応する位置に窓３２が形成されており、この窓３２を覆うように、主板３４には覗き窓用扉３３が取付けられている。この覗き窓用扉３３は、筐体１ではなく、遮蔽用扉３に取付けられているので、筐体１には、遮蔽用扉３と覗き窓用扉３３の両扉を取付ける必要がなくなり、遮蔽用扉３のみを取付ければ良いので、その取付け構造が簡単になる。尚、覗き窓用扉３３は、覗き窓用扉３３を開くことなく外部から配電用機器の操作部が確認できるように、透明な部材で形成するのが好ましい。
【００１８】
また、図５に示すように、ヒンジ５の一方が筐体１の前面に、他方が主板３４の側面３４ｂに取付けられており、このヒンジ５により遮蔽用扉３が筐体１の前部に開閉可能に取付けられている。一方、ヒンジ６の一方が主板３４の主面３４ａの外側に、他方が覗き窓用扉３３に取付けられており、このヒンジ６により覗き窓用扉３３が遮蔽用扉３に開閉可能に取付けられている。
【００１９】
この実施の形態では、図４に示したように、遮蔽板３１として、両側面３１ｂ、３１ｃから外側に張り出した面３１ｄ、３１ｅを有するものを主板３４の主面３４ａに取付けているが、遮蔽板３１は、少なくとも配電用機器４の充電部４ａなど必要な部位を覆うと共に、遮蔽板３１の外側（筐体１の外側）から配電用機器４の操作部４ａが操作できるものであれば良く、例えば、遮蔽板３１を主板３４の側面に取付けても良く、また、遮蔽板３１の形状を側面から内側に張り出したものにしても良い。
【００２０】
又、図４では、主板３４と遮蔽板３１とを別部材にしているが、主板３４と遮蔽板３１とを同一の部材で一体に成形してもよい。又、この実施の形態では、図３に示したように、複数の充電部保護用遮蔽板３１を主板３４に取付けているが、複数の開口部を有する１つの充電部保護用遮蔽板にしても良い。
【００２１】
又、この実施の形態では、図５に示したように、第１の扉である遮蔽用扉３を筐体１の前面に、第２の扉である覗き窓用扉３３を遮蔽用扉３の前側に取付けているが、遮蔽用扉３は、筐体１の側面に取付けてもよく、又、覗き窓用扉３３も遮蔽用扉３の後側に取付けても良い。
【００２２】
次に、この実施の形態の分電盤の動作について説明する。
この実施の形態１の分電盤では、図１に示すように、通常は遮蔽用扉３、覗き窓用扉３３は閉じられているが、分電盤内の配電用機器４を操作する場合には、図２に示すように、遮蔽用扉３は閉じたまま覗き窓用扉３３が開かれる。このように覗き窓用扉３３のみを開くことで、配電用機器４の充電部を遮蔽用扉３の一部である保護用遮蔽板３１により覆った状態で、配電用機器４の操作部４ａを遮蔽用扉３の開口部３５を通して操作することができるため、安全に操作を行うことができる。又、配電盤内の配電用機器４の補修や点検を行うには、図３に示すように、遮蔽用扉３を開けることで、その補修や点検を行うことができる。
【００２３】
以上のように、この実施の形態１の分電盤では、筐体に取付けられた第１の扉に窓が設けられると共にこの窓を開閉する第２の扉が取付けられた構造をしている。そのため、従来の外扉及び内扉に必要であった機能を第１の扉に集約することができ、扉を一重構造にすることができるので、筐体に第２の扉を取付けるためのヒンジなどを設ける必要が無く、その取付け構造を簡素化でき、その結果、部品点数の削減及び組立時間の削減を図ることができる。
【００２４】
また、この実施の形態１の分電盤では、第１の扉が、配電用機器を遮蔽する遮蔽板と遮蔽板の外側に窓が設けられた主板とを有し、さらに、遮蔽板には、第１の扉の閉時に配電用機器の操作部に対応する位置に開口部が設けられ、主板に設けられた窓が開口部に対応する位置に設けられた構造をしている。そのため、第１の扉を閉めたまま第２の扉を開閉するだけで、開口部を介して操作部の操作を行うことができる。その結果、第１の扉により配電用機器の充電部を覆った状態で配電用機器の操作部の操作ができ、操作者は安全に操作をすることができる。
【００２５】
また、第１の扉を第１のヒンジにより筐体に取付け、第２の扉を第２のヒンジにより第２の扉に取付けた場合には、筐体に取付けられるヒンジは第１のヒンジのみで第２のヒンジは筐体に取付けられないので、第１、第２の扉が同じ側に取付けられるものであっても分電盤の扉の取付け構造を簡素化することができる。
【図面の簡単な説明】
【００２６】
【図１】本発明の実施の形態１の分電盤の概要を示す斜視図である。
【図２】図１に示した分電盤の斜視図である。
【図３】図１に示した分電盤の斜視図である。
【図４】図１に示した分電盤のＡ−Ａ線に沿う矢視断面図である。
【図５】図４における遮蔽用扉、覗き窓用扉の取付け部周辺を示す図である。
【図６】図１に示した分電盤の保護用遮断板を示す斜視図である。
【符号の説明】
【００２７】
１    筐体                        １ａ  後板
１ｂ、１ｃ  両側板                １ｄ  上板
１ｅ  底板                        １ｆ  前面
２    開口部                      ３    第１の扉
４    配電用機器                  ４ａ  操作部
５、６  ヒンジ
３１    遮蔽板                    ３１ａ  基板
３１ｂ、３１ｃ  側面              ３１ｄ、３１ｅ  張り出し面
３２    窓                        ３３    第２の扉
３４    主板                      ３４ａ  主面
３４ｂ、３４ｃ  側面              ３５  開口部
【図１】
2005304253.tif 000003
【図２】
2005304253.tif 000004
【図３】
2005304253.tif 000005
【図４】
2005304253.tif 000006
【図５】
2005304253.tif 000007
【図６】
2005304253.tif 000008